(57)【要約】      （修正有）【課題】取付版に対してシート材を起伏可能にした立体構造を構成することでシート材の複雑な加工を不要にし、製造コストが安価な蛍光標識具を提供する。【解決手段】光の照射で蛍光発光する蛍光剤を含むシート材１からなる。シート材１は、平板状に形成されて被取付面に当接される平板状の取付板２に起伏可能に連結されている。【選択図】図１
0003109970.tif 000002
【実用新案登録請求の範囲】
【請求項１】
光の照射で蛍光発光する蛍光剤を含むシート材からなる蛍光標識具において、シート材は平板状に形成されて被取付面に当接される平板状の取付板に起伏可能に連結されていることを特徴とする蛍光標識具。
【請求項２】
請求項１の蛍光標識具において、シート材と取付板との連結はシート材の起立を弾力付勢するものであることを特徴とする蛍光標識具。
【請求項３】
請求項１または２の蛍光標識具において、シート材は両面が蛍光発光面であることを特徴とする蛍光標識具。
【請求項４】
光の照射で蛍光発光する蛍光剤を含むシート材からなる蛍光標識具において、シート材は被取付面に当接されるわずかに可撓性を有した取付板が積層されて屈曲板状に形成されていることを特徴とする蛍光標識具。
【請求項５】
請求項１〜４のいずれかの蛍光標識具において、シート材は蛍光剤が混入された基材に透明または半透明のカバー材が積層されていることを特徴とする蛍光標識具。
【請求項６】
請求項５の蛍光標識具において、シート材は基材とカバー材との間に空気層が介在されていることを特徴とする蛍光標識具。
【考案の詳細な説明】
【技術分野】
【０００１】
本考案は、光の照射で蛍光発光して光学的な標識機能を発揮する蛍光標識具に係る技術分野に属する。
【背景技術】
【０００２】
道路等の標識具では、光の照射で蛍光発光する蛍光剤を利用する傾向がある。この蛍光剤は、光の照射以外に発光エネルギの供給が不要であるにもかかわらず、照射された光を単に反射する反射材に比してはるかに優れた光学的な標識機能を発揮する。
【０００３】
最近、蛍光標識具として、合成樹脂材の中に蛍光剤を混入してシート材としたものが提供されている。
【０００４】
この蛍光標識具は、道路等の被取付面に当接させ接着手段等で取付けることができるため、取付け工作，取付け作業が容易であるとともに、被取付面から無用に突出しないという利点がある。然しながら、被取付面に当接されてほぼ平坦面を構成してしまうため、光の照射角度によっては光の照射を有効に受けることができなくなるという不具合がある。
【０００５】
この不具合を解消するには、ポール，ブロック等からなる立体構造の標識補助体に対して多面的に複数枚を貼着することが考えられる。然しながら、立体構造の標識補助体を採用すると、障害物となる可能性から取付場所に制約が生じるとともに、構造が複雑化してしまいシート材としての前述の利点を喪失してしまうという新たな不具合が発生する。
【０００６】
従来、前述の不具合を解消する蛍光標識具としては、例えば、実用新案登録第３０８４１４３号公報に記載のものが知られている。
【０００７】
この従来の蛍光標識具は、光の照射で蛍光発光する蛍光剤を含むシート材で頭部，首部，取付部等の立体構造を形成してなる。
【０００８】
この従来の蛍光標識具によると、取付部に対して首部，頭部が起立した立体構造を構成することで、種々の照射角度の光の照射を有効に受けることができる。また、シート材自体を形状加工することで立体構造を構成することで、構造の複雑化を避けることができる。また、シート材からなる頭部，首部で立体構造の押潰れ変形を可能にして障害物となるのを回避することができる。
【考案の開示】
【考案が解決しようとする課題】
【０００９】
前述の従来の蛍光標識具では、立体構造の形成のためにシート材の複雑な加工を必要とするため、製造コストが高くなるという問題点がある。
【００１０】
本考案は、このような問題点を考慮してなされたもので、製造コストの安価な蛍光標識具を提供することを課題とする。
【課題を解決するための手段】
【００１１】
前述の課題を解決するため、本考案に係る蛍光標識具は、特許請求の範囲の各請求項に記載の手段を採用する。
【００１２】
即ち、請求項１では、光の照射で蛍光発光する蛍光剤を含むシート材からなる蛍光標識具において、シート材は平板状に形成されて被取付面に当接される平板状の取付板に起伏可能に連結されていることを特徴とする。
【００１３】
この手段では、取付板に対してシート材を起伏可能にした立体構造を構成することで、シート材の複雑な加工を不要にする。
【００１４】
また、請求項２では、請求項１の蛍光標識具において、シート材と取付板との連結はシート材の起立を弾力付勢するものであることを特徴とする。
【００１５】
この手段では、取付板に対してシート材を起伏するように付勢することで立体構造の保持性を高める。
【００１６】
また、請求項３では、請求項１または２の蛍光標識具において、シート材は両面が蛍光発光面であることを特徴とする。
【００１７】
この手段では、シート材の両面が標識となる。
【００１８】
また、請求項４では、光の照射で蛍光発光する蛍光剤を含むシート材からなる蛍光標識具において、シート材は被取付面に当接されるわずかに可撓性を有した取付板が積層されて屈曲板状に形成されていることを特徴とする。
【００１９】
この手段では、取付板が積層されたシート材を屈曲板状にした立体構造を構成することで、シート材の複雑な加工を不要にする。
【００２０】
また、請求項５では、請求項１〜４のいずれかの蛍光標識具において、シート材は蛍光剤が混入された基材に透明または半透明のカバー材が積層されていることを特徴とする。
【００２１】
この手段では、蛍光剤が混入された基材がカバー材で被覆される。
【００２２】
また、請求項６では、請求項５の蛍光標識具において、シート材は基材とカバー材との間に空気層が介在されていることを特徴とする。
【００２３】
この手段では、蛍光剤が混入された基材が空気層でも被覆される。
【考案の効果】
【００２４】
本考案に係る蛍光標識具は、請求項１として、取付板に対してシート材を起伏可能にした立体構造を構成することでシート材の複雑な加工を不要にするため、製造コストが安価になる効果がある。
【００２５】
さらに、請求項２として、取付板に対してシート材を起伏するように付勢することで立体構造の保持性を高めるため、種々の照射角度の光の照射を確実に有効に受けることができる効果がある。
【００２６】
さらに、請求項３として、シート材の両面が標識となるため、より種々の照射角度の光の照射を確実に有効に受けることができる効果がある。
【００２７】
さらに、請求項４として、取付板が積層されたシート材を屈曲板状にした立体構造を構成することでシート材の複雑な加工を不要にするため、製造コストが安価になる効果がある。
【００２８】
さらに、請求項５として、蛍光剤が混入された基材がカバー材で被覆されるため、蛍光剤の温度，雨等による変質が防止される効果がある。
【００２９】
さらに、請求項６として、蛍光剤が混入された基材が空気層でも被覆されているため、照射された光を集光し発光した光を拡散するレンズとし空気層が機能する効果がある。
【考案を実施するための最良の形態】
【００３０】
以下、本考案に係る蛍光標識具を実施するための最良の形態を図面に基づいて説明する。
【００３１】
図１〜図４は、本考案に係る蛍光標識具を実施するための最良の形態の第１例を示すものである。
【００３２】
第１例では、道路からなる被取付面Ｒに取付けるのに好適なものを示してある。
【００３３】
第１例は、図１に示すように、シート材１，取付板２，粘着材３，剥離紙４で構成されている。
【００３４】
シート材１は、図１に示すように、平板状の長方形に形成されている。このシート材１は、図３に詳細に示されるように、光の照射で蛍光発光する蛍光剤１１が混入された柔軟性のある合成樹脂材（マット状，繊維状）の基材１２の両面に透明または半透明の柔軟性のある合成樹脂材のカバー材１３が積層され、カバー材１３の外側に透明の柔軟性のある合成樹脂材の外カバー材１４が積層されている。蛍光剤１１については、選択，配合される物質によって蛍光発光色を単色，混合色，多色（模様）等に自由に調整することができる。基材１２，カバー材１３は、図１，図３に示すように、ヒートシール技術等によって６角形が連続するハニカム状に接着線（接着帯）１５で接着されている。従って、基材１２，カバー材１３の間には、密封された６角形の空気層１６が形成されている。外カバー材１４は、基材１２，カバー材１３を袋形に密封している。なお、外カバー材１４の長方形の１つの長手辺沿近くには、シート材１の全体をく字形に弾力付勢する薄肉構造のヒンジ１７が形成されている。
【００３５】
取付板２は、図１に示すように、柔軟性のある合成樹脂材で平板状の長方形に形成されている。
【００３６】
シート材１，取付板２は、シート材１のヒンジ１７が設けられている長手辺に沿ってヒートシール等の接着手段によって連結されている。従って、シート材１は、図４に示すように、取付板２に対して起伏が可能である。
【００３７】
粘着材３は、粘着物質に補助剤を混合してマット状に成形されてなるもので、取付板２のシート材１が連結された面の反対側の面の全面に積層されている。
【００３８】
剥離紙４は、粘着材３に対して接着，剥離が可能なコーティング紙で粘着材３の全体を覆う長方形に形成されている。
【００３９】
第１例によると、前述の従来の蛍光標識具のようにシート材１を頭部，首部，取付部のように複雑に加工する必要がないため、製造コストが安価になる。
【００４０】
なお、第１例を使用するには、剥離紙４を剥離して粘着材３を道路からなる被取付面Ｒに接着することになる。
【００４１】
この結果、被取付面Ｒに取付板２が取付けられ、取付板２（被取付面Ｒ）の上にシート材１が起立されることになる。従って、立体構造が構成されて、種々の照射角度の光の照射を有効に受けることができ、蛍光剤１１が確実に蛍光発光して光学的な標識機能を有効に発揮する。特に、シート材１の両面が蛍光発光面となるため、標識機能が優れたものとなる。
【００４２】
被取付面Ｒに取付けられた状態では、シート材１の空気層１６が照射された光を集光し発光した光を拡散するレンズとして機能し、カバー材１３，外カバー材１４が基材１２に混入された蛍光剤１１の温度，雨等による変質を防止する。また、自動車で踏まれた場合等のように加圧力が掛かった場合、シート材１が取付板２に倒伏変形して全体が扁平化して障害物になるようなことはない。従って、取付場所に制約がなくなる。このとき、シート材１の空気層１６は、蛍光剤１１が混入された基材１２に対するクッション材として機能する。なお、加圧力が解除された場合には、シート材１の弾力付勢によって直ちにシート材１が起立して立体構造が復元される。
【００４３】
図５，図６は、本考案に係る蛍光標識具を実施するための最良の形態の第２例を示すものである。
【００４４】
第２例では、縁石等の角部のある被取付面Ｒに取付けるのに好適なものを示してある。
【００４５】
第２例は、図５に示すように、シート材１，取付板２，粘着材３，剥離紙４で構成されている。
【００４６】
シート材１は、平板状の正方形に形成されている。このシート材１は、第１例の外カバー材１４，ヒンジ１７が省略され、第１例のカバー材１３が基材１２の片面にのみ積層されている。
【００４７】
取付板２は、図５に示すように、わずかに可撓性を有した合成樹脂材で断面Ｌ字形の屈曲板に形成されている。
【００４８】
シート材１，取付板２は、シート材１の１面に取付板２を積層接着することで連結されている。従って、シート材１は、図５に示すように、取付板２に沿って屈曲板になる。
【００４９】
粘着材３は、粘着物質に補助剤を混合してマット状に成形されてなるもので、取付板２のシート材１が積層された面の反対側の面の一部に積層されている。
【００５０】
剥離紙４は、粘着材３に対して接着，剥離が可能なコーティング紙で粘着材３の全体を覆う長方形に形成されている。
【００５１】
第２例によると、前述の従来の蛍光標識具のようにシート材１を頭部，首部，取付部のように複雑に加工する必要がないため、製造コストが安価になる。
【００５２】
なお、第２例を使用するには、剥離紙４を剥離して粘着材３を角部のある被取付面Ｒに接着することになる。
【００５３】
この結果、被取付面Ｒに取付板２が取付けられ、取付板２（被取付面Ｒ）に異なる角度の２つの蛍光発光面を形成することになる。従って、立体構造が構成されて、種々の照射角度の光の照射を有効に受けることができ、蛍光剤１１が確実に蛍光発光して光学的な標識機能を有効に発揮する。
【００５４】
被取付面Ｒに取付けられた状態では、シート材１の空気層１６が照射された光を集光し発光した光を拡散するレンズとして機能し、カバー材１３，外カバー材１４が基材１２に混入された蛍光剤１１の温度，雨等による変質を防止する。また、自動車で踏まれた場合等のように加圧力が掛かった場合、シート材１が取付板２に倒伏変形して全体が扁平化して障害物になるようなことはない。従って、取付場所に制約がなくなる。このとき、シート材１の空気層１６は、蛍光剤１１が混入された基材１２に対するクッション材として機能する。なお、加圧力が解除された場合には、シート材１の弾力付勢によって直ちにシート材１が起立して立体構造が復元される。
【産業上の利用分野】
【００５５】
本考案に係る蛍光標識具は、展示具，家具等広範な分野での使用が可能である。
【図面の簡単な説明】
【００５６】
【図１】本考案に係る蛍光標識具を実施するための最良の形態の第１例の斜視図である。
【図２】図１の取付状態の側面図である。
【図３】図２の要部拡大断面図である。
【図４】ずの要部拡大図であり、（Ａ），（Ｂ）に異なる動作状態が示されている。
【図５】本考案に係る蛍光標識具を実施するための最良の形態の第２例の斜視図である。
【図６】図５の取付状態の側面図である。
【符号の説明】
【００５７】
１            シート材
１１          蛍光剤
１２          基材
１３          カバー材
１６          空気層
２            取付板
Ｒ            被取付面
【図１】
0003109970.tif 000003
【図２】
0003109970.tif 000004
【図３】
0003109970.tif 000005
【図４】
0003109970.tif 000006
【図５】
0003109970.tif 000007
【図６】
0003109970.tif 000008